(57)【要約】【課題】自己の行動に対応づけて自己の位置及びその名称を提示し、自己の行動履歴の提供を行うこと。【解決手段】行動履歴提示システムＳは、ユーザの現在位置を取得する複数の携帯用電話機１００と、行動履歴情報を生成し、当該生成された行動履歴情報を提供する情報提供用サーバ装置２００と、携帯用電話機１００の現在位置の名称を決定する位置検索用サーバ装置３００と、から構成され、情報提供用サーバ装置２００は、各携帯用電話機１００から送信された緯度経度情報に基づいて、当該緯度経度情報に対応づけられた時刻情報と、を受信し、位置検索用サーバ装置３００と連動しつつ、当該各緯度経度情報における名称をＷｅｂページデータに、地図の画像及び時刻情報とともに行動履歴情報として組み込むようになっている。【選択図】図１
2008242952.tif 000002
【特許請求の範囲】
【請求項１】
複数の送信機から送出される測位信号に基づいて移動体の現在位置の情報を所定のタイミング毎に取得する現在位置取得手段と、
位置情報と当該位置の名称を示す名称情報が対応づけられた格納されている格納手段と、
前記所定のタイミング毎に取得された現在位置と前記格納された位置情報及び名称情報に基づいて当該取得した現在位置の名称を決定する決定手段と、
前記決定された名称を時刻に従って情報として提示する提示手段と、
を備えることを特徴とする情報提示システム。
【請求項２】
請求項１に記載の情報提示システムにおいて、
前記現在位置取得手段が、ＧＰＳ航法に基づいて測位信号を経度及び緯度の情報として取得するとともに、前記格納手段が、経度及び緯度の情報が位置情報として前記名称情報に対応づけて記憶されていることを特徴とする情報提示システム。
【請求項３】
請求項１又は２に記載の情報提示システムにおいて、
前記決定手段が、前記現在地取得手段が現在位置の情報を取得するタイミングの時刻を参照するとともに、
前記提示手段が、前記決定手段が参照した時刻の情報を決定された名称とともに提示することを特徴とする情報提示システム。
【請求項４】
請求項１乃至３の何れか一項に記載の情報提示システムにおいて、
前記現在位置取得手段が、前記移動体に設定された携帯端末装置に設けられるとともに、
前記提示手段が、前記ネットワークを介して第三者に閲覧可能に前記情報を提示することを特徴とする情報提示システム。
【請求項５】
複数の送信機から送出される測位信号に基づいて移動体の現在位置の情報を所定のタイミング毎に取得する現在位置取得工程と、
前記所定のタイミング毎に取得された現在位置と、予め格納手段に格納された位置情報と当該位置の名称を示す名称情報が対応づけられて格納された名称情報に基づいて当該取得した現在位置の名称を決定する決定工程と、
前記決定された名称を時刻に従って情報として提示する提示工程と、
を含むことを特徴とする情報提示方法。
【発明の詳細な説明】
【技術分野】
【０００１】
本発明は、ＧＰＳ航法によって得られた測位データに基づいて種々のデータを記憶及び提供する装置の技術分野に属する。
【背景技術】
【０００２】
近年、車両の利用者に対して自車両の位置や経路情報であるナビゲーション情報などの他に、利便性の向上といった観点から、自車両の周辺に存在する交通情報やお店の情報といった各種の情報をネットワークを介して外部装置から取得し、地図情報とともに周辺情報を提示する種々の情報を提示する情報提示装置が知られている。
【０００３】
最近では、利用者が自らトピックを峻別することの手間を軽減し、利用者に情報を容易に把握ささせるために、自車両の現在位置を車両位置情報に基づいて車両の利用者に対して提示する提示対象トピックと、利用者に対して提示しない非提示対象トピックとを選別し、提示対象トピックのみ利用者に提供する車両用情報提示システムが知られている。
【特許文献１】特開２００６−２７７３８６号公報
【発明の開示】
【発明が解決しようとする課題】
【０００４】
しかしながら、上述の車両用情報提示システムにあっては、自己の行動に対応づけて自己の位置やその名称を提示することができず、自己の行動履歴を管理することができない。
【０００５】
本発明は、上記課題を解決するためになされたものであって、その目的は、自己の行動に対応づけて自己の位置及びその名称を提示し、自己の行動履歴の提供を行うこと可能にする情報提供システムを提供することにある。
【課題を解決するための手段】
【０００６】
上記の課題を解決するために、請求項１に記載の発明は、複数の送信機から送出される測位信号に基づいて移動体の現在位置の情報を所定のタイミング毎に取得する現在位置取得手段と、位置情報と当該位置の名称を示す名称情報が対応づけられた格納されている格納手段と、前記所定のタイミング毎に取得された現在位置と前記格納された位置情報及び名称情報に基づいて当該取得した現在位置の名称を決定する決定手段と、前記決定された名称を時刻に従って情報として提示する提示手段と、を備える構成を有している。
【０００７】
この構成により、請求項１に記載の発明は、所定のタイミング毎に取得された現在位置と格納された位置情報及び名称情報に基づいて当該取得した現在位置の名称を決定し、決定された名称を時刻に従って情報として提示する。したがって、請求項１に記載の発明は、例えば、Ｗｅｂページなどによって自己の行動に対応づけて自己の位置及びその名称を提示すれば、第三者に自己の行動履歴を提供することができるとともに、ユーザ自身も自己の行動履歴を管理することができる。
【０００８】
また、請求項２に記載の発明は、請求項１に記載の情報提示システムにおいて、前記現在位置取得手段が、ＧＰＳ航法に基づいて測位信号を経度及び緯度の情報として取得するとともに、前記格納手段が、経度及び緯度の情報が位置情報として前記名称情報に対応づけて記憶されている構成を有している。
【０００９】
この構成により、請求項２に記載の発明は、ＧＰＳ航法と緯度及び経度の情報に基づいて現在位置の情報を取得することができるとともに、その名称を決定することができるので、容易に現在位置を特定することができる。
【００１０】
また、請求項３に記載の発明は、請求項１又は２に記載の情報提示システムにおいて、前記決定手段が、前記現在地取得手段が現在位置の情報を取得するタイミングの時刻を参照するとともに、前記提示手段が、前記決定手段が参照した時刻の情報を決定された名称とともに提示する構成を有している。
【００１１】
この構成により、請求項３に記載の発明は、時刻に対応づけて自己の位置を名称とともに提示することができるので、自己の行動履歴を更に的確に提供することができる。
【００１２】
また、請求項４に記載の発明は、請求項１乃至３の何れか一項に記載の情報提示システムにおいて、前記現在位置取得手段が、前記移動体に設定された携帯端末装置に設けられるとともに、前記提示手段が、前記ネットワークを介して第三者に閲覧可能に前記情報を提示する構成を有している。
【００１３】
この構成により、請求項４に記載の発明は、ネットワークを介して第三者に自己の行動履歴を提示することができる。
【００１４】
また、請求項５に記載の発明は、複数の送信機から送出される測位信号に基づいて移動体の現在位置の情報を所定のタイミング毎に取得する現在位置取得工程と、前記所定のタイミング毎に取得された現在位置と、予め格納手段に格納された位置情報と当該位置の名称を示す名称情報が対応づけられて格納された名称情報に基づいて当該取得した現在位置の名称を決定する決定工程と、前記決定された名称を時刻に従って情報として提示する提示工程と、を含む構成を有している。
【００１５】
この構成により、請求項５に記載の発明は、所定のタイミング毎に取得された現在位置と格納された位置情報及び名称情報に基づいて当該取得した現在位置の名称を決定し、決定された名称を時刻に従って情報として提示する。したがって、請求項５に記載の発明は、例えば、Ｗｅｂページなどによって自己の行動に対応づけて自己の位置及びその名称を提示すれば、第三者に自己の行動履歴を提供することができるとともに、ユーザ自身も自己の行動履歴を管理することができる。
【発明の効果】
【００１６】
本願発明は、自己の行動に対応づけて自己の位置及びその名称を提示することができるので、自己の行動履歴を提供することができる。
【発明を実施するための最良の形態】
【００１７】
次に、本発明に好適な実施の形態について、図面に基づいて説明する。なお、本発明は、その技術的特徴を有する範囲を包含し、以下に示す図面等に限定されない。
【００１８】
以下に説明する実施の形態は、行動履歴提示システムに対して本願発明を適用した場合の実施形態である。また、本実施形態では、携帯端末装置として携帯用電話器を用いて説明し、当該携帯端末装置を有するユーザを移動体として説明する。
【００１９】
まず、図１を用いて本実施形態の行動履歴提示システムにおける構成及びその概略動作について説明する。なお、図１は、本実施形態の行動履歴提示システムの構成を示すブロック図である。
【００２０】
本実施形態の行動履歴提示システムＳは、図１に示すように、ユーザの現在位置を取得する複数の携帯用電話機１００と、任意の場所に固定設置され、取得した移動体の現在位置に基づいてユーザの行動履歴の情報（以下、「行動履歴情報」という。）を生成し、当該生成された行動履歴情報を提供するサーバ装置（以下、「情報提供用サーバ装置」という。）２００と、任意の場所に固定設置され、移動体の現在位置に基づいて当該位置の名称を決定するサーバ装置（以下、「位置検索用サーバ装置」という。）３００と、から構成される。
【００２１】
なお、各携帯用電話機１００、位置検索用サーバ装置３００及び情報提供用サーバ装置２００は、それぞれ電話公衆網回線又はインターネット回線などのネットワークＮに接続されている。
【００２２】
本実施形態の各携帯用電話機１００は、ユーザの行動履歴情報を生成する際に、所定の信号に基づいて当該各携帯用電話機１００の現在位置を緯度及び経度を決定し、当該決定した緯度及び経度の情報（以下、「緯度経度情報」という。）を、当該緯度経度情報を取得した時刻に対応づけて位置検索用サーバ装置３００に送信するようになっている。
【００２３】
情報提供用サーバ装置２００は、例えば、ブログなどの各携帯用電話機１００の所有者におけるＷｅｂページを、ネットワークＮを介して第三者に閲覧可能に提供するようになっている。
【００２４】
特に、本実施形態の情報提供用サーバ装置２００は、各携帯用電話機１００から送信された緯度経度情報と、当該緯度経度情報に対応づけられた時刻の情報（以下、「時刻情報」という。）と、を受信し、位置検索用サーバ装置３００と連動しつつ、受信した緯度経度情報に基づいて、当該各緯度経度情報における名称を、当該決定したＷｅｂページを構成するリソースデータ（以下、「Ｗｅｂページデータ」という。）に、地図の画像及び時刻情報とともに行動履歴情報として組み込むようになっている。
【００２５】
位置検索用サーバ装置３００は、情報提供用サーバ装置２００と連動しつつ、予め記憶された各種のデータと緯度経度情報に基づいて当該緯度経度情報における名称を決定するようになっている。
【００２６】
そして、この位置検索用サーバ装置３００は、決定された名称を各携帯電話機１００毎にかつ時刻情報における時刻の順に配列させ、名称情報として情報提供用サーバ装置２００に提供するようになっている。
【００２７】
次に、図２を用いて本実施形態における携帯用電話機１００の構成について説明する。なお、図２は、本実施形態における携帯用電話機１００の構成を示す構成図である。
【００２８】
本実施形態の携帯用電話機１００は、図２に示すように、電話公衆網回線に接続され、他の携帯用電話機１００又は固定された固定用電話機と電話通信を行う電話通信部１１０の他に、図示しないアンテナ及びネットワークＮを介してサーバ装置２００との通信を行う通信制御部１２０と、外部から送信された所定の信号に基づいて当該携帯用電話機１００の緯度経度を決定する緯度経度決定部１３０と、時刻を管理する時刻管理部１４０と、を備えている。
【００２９】
また、この携帯用電話機１００は、電話通信その他に用いるスピーカＳＰ及びマイクロホンＭと、各部の制御を行う電話機制御部１５０と、各部を制御する際に用いられるＲＯＭ／ＲＡＭ１６０と、各種の操作を行う操作部１７０と、操作部１７０と連動しつつ各種の表示を行う表示部１８０と、当該表示部１８０の表示制御を行う表示制御部１９０と、を備えている。
【００３０】
電話通信部１１０は、音声処理、電力増幅処理及び音声又は着信音の拡声制御など他の電話機との電話通信を行うための種々の機能を有し、公衆電話網回線を介して相互に音声データ又は画像データの授受を行うようになっている。
【００３１】
なお、受信された音声データ又は着信音データは、スピーカＳＰにより拡声され、マイクロホンＭに入力された音声を所定のデータに変換して他の電話機に送信するようになっている。
【００３２】
通信制御部１２０は、図示しないアンテナを介してインターネットなどのネットワークＮに接続されるようになっており、電話機制御部１５０の制御の下、位置検索用サーバ装置３００との通信制御を行うようになっている。特に、本実施形態の通信制御部１２０は、当該携帯用電話機１００の識別情報（ユーザＩＤ）とともに、緯度経度情報及び時刻情報を情報提供用サーバ装置２００に送信するようになっている。
【００３３】
緯度経度決定部１３０は、図示しないアンテナを介して各携帯用電話機１００の基地局ＢＳとの通信に用いられる通信用電波及び複数のＧＰＳ衛星から送信された測位信号を直接又は電話通信部１１０を介して受信するようになっている。
【００３４】
そして、この緯度経度決定部１３０は、受信した通信用電波又は測位信号に基づいて、当該携帯用電話機１００が存在する緯度及び経度を決定して緯度経度情報を生成するようになっている。そして、この緯度経度決定部１３０は、生成した緯度経度情報を時刻情報とともに一時的に記憶しつつ、ユーザの指示、すなわち、当該行動履歴をＷｅｂページデータにアップすることを終了する旨の指示を待って、各緯度経度情報を時刻情報とともに、位置検索用サーバ装置３００に通信制御部１２０を介して送信するようになっている。
【００３５】
時刻管理部１４０は、行動履歴情報を生成する際に、緯度及び経度を決定する際の現在時刻を取得し、当該取得した時刻を時刻情報として緯度経度決定部１３０に提供するようになっている。
【００３６】
電話機制御部１５０は、主に中央演算処理装置（ＣＰＵ）によって構成されるとともに、バスＢによって各部と接続されており、携帯用電話機１００の全般的な機能を総括的に制御するようになっている。
【００３７】
具体的には、この電話機制御部１５０は、ＲＯＭ／ＲＡＭ１６０に格納される制御プログラムに基づいて、通話機能、通信機能などの携帯用電話機１００全体の動作を制御するとともに、緯度経度の決定及び決定された緯度経度情報に関連する各制御を行うようになっている。
【００３８】
操作部１７０は、各操作指令を入力する操作ボタン、テンキー及びその他の数字キーなど、多数のキーにより構成されている。特に、本実施形態の操作部１７０は、緯度経度情報を収集して情報提供用サーバ装置２００に送信し、Ｗｅｂページデータに組み込む処理（以下、「行動履歴処理」という。）を指示する際の種々の操作を行うときに用いられる。
【００３９】
表示部１８０は、液晶素子又はＥＬ（Electro Luminescence）素子によって構成され、表示制御部１９０にて生成された表示データに基づいて所定の画像を表示するようになっている。
【００４０】
表示制御部１９０は、電話機制御部１５０の制御の下、他の電話機との通話を行う際などの表示部１８０に種々の画像を表示するための表示データを生成するようになっている。
【００４１】
次に、図３を用いて本実施形態のおける情報提供用サーバ装置２００の構成について説明する。なお、図３は、本実施形態における情報提供用サーバ装置２００の構成を示す構成図である。
【００４２】
本実施形態の情報提供用サーバ装置２００は、図３に示すように、ネットワークＮを介して位置検索用サーバ装置３００及び各種の通信端末装置とデータ通信を行うデータ通信制御部２１０と、Ｗｅｂページデータが記憶されたＷｅｂページデータベース２２０と、緯度及び経度に対応付けて各種の地図がデータとして記憶されている地図データベース２３０と、受信した行動履歴情報に基づいて地図データを定め、該当するＷｅｂページデータに行動履歴情報を組み込むＷｅｂページデータ生成部２４０と、位置検索用サーバ装置３００と連動しつつ、各部の制御を行う制御部（以下、「情報提供用サーバ制御部」）２５０と、から構成されている。
【００４３】
データ通信制御部２１０は、電話公衆網回線又はインターネットなどのネットワークＮに接続されるようになっており、位置検索用サーバ用制御部３４０の制御の下、携帯用電話機１００との通信回線を確立し、又は、パーソナルコンピュータや携帯用電話機１００などの通信端末装置との通信回線を確立して各種のデータの送受信に関する通信制御を行うようになっている。
【００４４】
特に、本実施形態のデータ通信制御部２１０は、各携帯用電話機１００から送信された経度緯度情報及び時刻情報を受信するとともに、当該受信した緯度経度情報及び時刻情報を位置検索用サーバ装置３００に送信するようになっている。
【００４５】
また、このデータ通信制御部２１０は、位置検索用サーバ装置３００から送信された緯度経度情報及び時刻情報を含む後述する名称情報を受信するようになっている。
【００４６】
Ｗｅｂページデータベース２２０は、携帯用電話機１００のユーザ毎に識別情報及びＵＲＬに対応付けて格納するためのデータベースである。このＷｅｂページデータベース２２０には、所定のデータ形式を有するＷｅｂページデータが上書き可能に記憶されている。そして、このＷｅｂページデータ２２０は、情報提供用サーバ制御部２５０の制御の下、データ通信制御部１２０の指示に基づいて、ＵＲＬ（Uniform Resource Locator）に対応するＷｅｂページデータを抽出して各通信端末装置に出力するようになっている。
【００４７】
地図データベース２３０は、緯度及び経度に対応付けて各種の地図が画像データとして記憶されているデータベースであり、Ｗｅｂページデータに行動履歴情報を組み込む際に用いられるようになっている。
【００４８】
情報提供用サーバ制御部２５０は、例えば、ＣＰＵ、ＲＯＭ、ＲＡＭ及びハードディスクを有し、情報提供用サーバ装置２００の各部を制御するようになっている。特に、ＲＯＭには、各部を制御するための各種制御情報が記録されると共に、ハードディスクには、制御プログラムやＯＳ（Operating System）などの各種プログラムが記録されている。また、ＣＰＵは、ハードディスクに記録されたプログラムを実行することにより、各種の処理、特に、位置検索用サーバ装置３００と連動しつつ、名称決定して行動履歴処理を実行し、ＲＡＭはワークエリアとして用いられるようになっている。
【００４９】
具体的には、本実施形態の情報提供用サーバ制御部２５０は、行動履歴処理の際に、受信した緯度経度情報を対応する時刻情報とともに位置検索用サーバ装置３００に送信する送信制御を実行し、各緯度経度情報に対応する名称を決定させるようになっている。
【００５０】
また、この情報提供用サーバ制御部２５０は、決定された各名称を名称情報として取得し、Ｗｅｂページデータに当該名称情報を組み込む各処理を制御するようになっている。
【００５１】
Ｗｅｂページデータ生成部２４０は、名称情報情報を受信すると、該当する緯度経度情報とともに受信された識別情報に基づいて、Ｗｅｂページデータを検索し、同一の識別情報を有するＷｅｂページデータを読み出すようになっている。
【００５２】
そして、このＷｅｂページデータ生成部２４０は、各名称情報の緯度及び経度に基づいて地図データベース２３０を検索し、該当する画像データを読み出すとともに、読み出した画像データと名称情報を時刻順にＷｅｂページデータに新たなリソースデータとして組み込むようになっている。
【００５３】
また、このＷｅｂページデータ生成部２４０は、組み込まれたＷｅｂページデータを当該ＷｅｂページデータのＵＲＬに基づいてＷｅｂページデータベース２２０に第三者が閲覧可能に上書きするようになっている。
【００５４】
なお、各通信端末装置は、当該情報提供用サーバ装置２００と通信回線を確立後、ＵＲＬを指定すると、当該ＵＲＬに該当するＷｅｂページデータを構成するリソースデータを取得することができるようになっており、各通信端末装置が備える表示部に表示させることができるようになっている。
【００５５】
次に、図４から図６までの各図を用いて本実施形態のおける位置検索用サーバ装置３００の構成について説明する。
【００５６】
なお、図４は、本実施形態における位置検索用サーバ装置３００の構成を示す構成図であり、図５は、位置名称データベース３２０に記憶されるデータの一例である。また、図６は、名称決定部３３０にて決定される名称情報の一例である。
【００５７】
本実施形態の位置検索用サーバ装置３００は、図４に示すように、ネットワークＮを介して携帯用電話機１００及び情報提供用サーバ装置２００とデータ通信を行うデータ通信制御部３１０と、名称情報を決定する際に用いる名称情報が記憶された位置名称データベース３２０と、受信した緯度経度情報に基づいて名称を決定する名称決定部３３０と、情報提供用サーバ装置２００と連動しつつ、各部の制御を行う制御部（以下、「位置検索用サーバ制御部３４０」）３４０と、から構成されている。
【００５８】
データ通信制御部３１０は、電話公衆網回線又はインターネットなどのネットワークＮに接続されるようになっており、位置検索用サーバ用制御部３４０の制御の下、情報提供用サーバ装置２００との通信回線を確立して各種のデータの送受信に関する通信制御を行うようになっている。
【００５９】
位置名称データベース３２０は、予め緯度及び経度に対応づけて当該緯度及び経度によって定まる位置の名称を示す名称情報が記憶されたデータベースである。具体的には、本実施形態の位置名称データベース３２０は、図５に示すように、各名称名（スポット名）が緯度及び経度に対応付けて記憶されている。
【００６０】
名称決定部３３０は、受信した緯度経度情報に基づいて、各緯度経度情報毎に位置名称データベース３２０を検索して一の名称を決定するようになっており、当該緯度経度情報とともに受信した時刻情報に示される時刻に従って、図６に示すような名称情報を生成するようになっている。
【００６１】
そして、この名称決定部３３０は、生成した名称情報を、データ通信制御部１２０を介して情報提供用サーバ装置２００に送信するようになっている。
【００６２】
位置検索用サーバ制御部３４０は、例えば、ＣＰＵ、ＲＯＭ、ＲＡＭ及びハードディスクを有し、サーバ装置２００の各部を制御するようになっている。特に、ＲＯＭには、各部を制御するための各種制御情報が記録されると共に、ハードディスクには、制御プログラムやＯＳ（Operating System）などの各種プログラムが記録されている。また、ＣＰＵは、ハードディスクに記録されたプログラムを実行することにより、各種の処理、特に、名称決定する処理（以下、「決定処理」という。）を実行し、ＲＡＭはワークエリアとして用いられるようになっている。
【００６３】
次に、図７を用いて本実施形態の携帯用電話機１００における行動履歴処理の動作について説明する。なお、図７は、本実施形態の携帯用電話機１００における行動履歴処理の動作を示すフローチャートである。
【００６４】
以下の説明では、携帯用電話機１００において、予め当該携帯用電話機１００固有の識別情報がＲＯＭ／ＲＡＭ１６０に記憶されているものとする。
【００６５】
まず、携帯用電話機１００において、操作者が操作部１７０を介して行動履歴処理の開始を指示（以下、「開始指示」という。）が入力されると（ステップＳ１０１）、電話機制御部１５０は、緯度経度情報決定部に測位データに基づいて現在位置を決定させる（ステップＳ１０２）。
【００６６】
次いで、電話機制御部１５０は、時刻管理部１４０の管理の下、所定のタイミングであるか否か（例えば、前回の緯度経度情報の決定から５分経過しているか否か）を判断する（ステップＳ１０３）。
【００６７】
このとき、電話機制御部１５０は、所定のタイミングであると判断した場合には、計測する時刻をリセットし、ステップＳ１０２と同様に、緯度経度情報決定部に測位データに基づいて現在位置を決定させる（ステップＳ１０４）。
【００６８】
次いで、電話機制御部１５０は、前回に計測した緯度経度情報と同一か否か判断し（ステップＳ１０５）、同一でないと判断した場合には、ステップＳ１０３の処理に移行する。
【００６９】
一方、電話機制御部１５０は、前回に計測した緯度経度情報と同一であると判断した場合には、当該緯度経度情報を現在時刻とともにＲＯＭ／ＲＡＭ１６０に記憶させる（ステップＳ１０６）。
【００７０】
次いで、電話機制御部１５０は、ユーザによって行動履歴処理の終了が指示された否かを判断し（ステップＳ１０７）、当該終了が指示されていないと判断した場合には、ステップＳ１０３の処理に移行する。
【００７１】
一方、電話機制御部１５０は、ユーザによって行動履歴処理の終了が指示されていると判断した場合には、当ＲＯＭ／ＲＡＭ１６０に記憶された各緯度経度情報の全てを該当する時刻情報及び識別情報とともに情報提供用サーバ装置２００に送信して本動作を終了させる。
【００７２】
次に、図８を用いて本実施形態の情報提供用サーバ装置２００及び位置検索用サーバ装置３００における行動履歴処理の動作について説明する。なお、図８は、本実施形態の携帯用電話機１００における行動履歴処理の動作を示すフローチャートである。
【００７３】
以下の説明では、情報提供用サーバ装置２００において、既に識別情報毎にＷｅｂページデータが記憶されているとともに、地図データには所定の地図データが記憶されている。また、位置検索用サーバ装置３００においては、既に緯度経度に対応付けて複数の名称情報が記憶されているものとする。
【００７４】
まず、情報提供用サーバ装置２００において、データ通信制御部２１０が識別情報及び時刻情報を含む緯度経度情報（以下、単に「情報」ともいう。）を受信すると（ステップＳ２０１）、情報提供サーバ用制御部は、受信した全ての緯度経度情報及び当該各緯度経度情報とともに受信した時刻情報を位置検索用サーバ装置３００に送信させ、名称情報の受信を待機する（ステップＳ２０２）。
【００７５】
一方、位置検索用サーバ装置３００において、通信制御部１２０が緯度経度情報及び時刻情報（以下、単に「情報」ともいう。）を受信すると（ステップＳ３０１）、位置検索サーバ用制御部は、名称決定部３３０に、受信した緯度経度情報に基づいて、位置名称データベース３２０を参照させつつ、各緯度経度情報毎に該当する位置の名称を決定する（ステップＳ３０２）。
【００７６】
本実施形態の名称決定部３３０は、位置名称データベース３２０に記憶された緯度及び経度と一致しない場合には、名称を決定しなくてもよいし、当該緯度経度情報にて示される緯度及び経度に最も近い名称に、当該名称を決定してもよい。
【００７７】
また、本実施形態の名称決定部３３０は、位置名称データベース３２０に記憶された緯度及び経度と一致しない場合であって、緯度経度情報にて示される緯度及び経度に最も近い名称に決定する場合に、「名称」の末尾に「付近」といった補助する語句を加えた名称に決定してもよい。
【００７８】
次いで、位置検索サーバ用制御部は、決定した各名称を時刻順に配列させつつ、名称情報を情報提供用サーバ装置２００に送信して（ステップＳ３０３）本動作を終了させる。
【００７９】
他方、情報提供用サーバ装置２００において、データ通信制御部２１０が名称情報を受信すると（ステップＳ２０３）、情報提供サーバ用制御部は、Ｗｅｂページデータ生成部２４０に、受信した各名称情報に該当する緯度経度情報に基づいて地図データベース２３０を検索させ、当該緯度経度情報の緯度及び経度に該当する位置に所定のマークを付与した所定の範囲内（例えば、緯度経度にて示される位置を中心に半径１ｋｍ）の地図データを抽出する（ステップＳ２０４）。
【００８０】
次いで、情報提供サーバ用制御部は、識別情報に基づいてＷｅｂページデータを読み出し、名称情報、時刻情報及び地図データを所定の方法によりリソースデータに組み込み、組み込んだＷｅｂページデータをＷｅｂページデータベース２２０に上書き記憶して（ステップＳ２０５）本動作を終了させる。
【００８１】
以上本実施形態の行動履歴提示システムＳは、所定のタイミング毎に取得された現在位置と予めデータベースに格納された緯度経度情報及び名称情報に基づいて当該取得した現在位置の名称を決定し、決定された名称を時刻に従って情報として提示することができるので、例えば、Ｗｅｂページなどに自己の行動に対応づけて自己の位置及びその名称を提示すれば、第三者に自己の行動履歴を提供することができるとともに、ユーザ自身も自己の行動履歴を管理することができる。
【００８２】
また、本実施形態の行動履歴提示システムＳは、ＧＰＳ航法や通信用電波などに基づいて現在位置の情報を取得することができるとともに、その名称を決定することができるので、容易に現在位置を特定することができる。
【００８３】
なお、本実施形態の行動履歴提示システムＳは、情報提供用サーバ装置２００及び位置検索用サーバ装置３００を個別に設けているが、勿論、一台のサーバ装置によって実現してもよいし、３以上のサーバ装置を連動させて実現するようにしてもよい。
【図面の簡単な説明】
【００８４】
【図１】本発明に係る一実施形態の行動履歴提示システムの構成を示すブロック図である。
【図２】一実施形態における携帯用電話機の構成を示す構成図である。
【図３】一実施形態における情報提供用サーバ装置の構成を示す構成図である。
【図４】一実施形態における位置検索用サーバ装置の構成を示す構成図である。
【図５】一実施形態における位置名称データベースに記憶されるデータの一例である。
【図６】一実施形態における名称決定部にて決定される名称情報の一例である。
【図７】一実施形態の携帯用電話機における行動履歴処理の動作を示すフローチャートである。
【図８】一実施形態の携帯用電話機における行動履歴処理の動作を示すフローチャートである。
【符号の説明】
【００８５】
Ｓ…行動履歴提示システム
１００…携帯用電話機
１１０…電話通信部
１２０…緯度経度情報決定部
１３０…通信制御部
１４０…時刻管理部
１５０…電話機制御部
１６０…ＲＯＭ／ＲＡＭ
１７０…操作部
１８０…表示制御部
１９０…表示部
２００…情報提供用サーバ装置
２１０…データ通信制御部
２２０…Ｗｅｂページデータベース
２３０…地図データベース
２４０…Ｗｅｂページデータ生成部
２５０…情報提供用サーバ制御部
３００…位置検索用サーバ装置
３１０…データ通信制御部
３２０…位置名称データベース
３３０…名称決定部
３４０…位置検索用サーバ制御部
【図１】
2008242952.tif 000003
【図２】
2008242952.tif 000004
【図３】
2008242952.tif 000005
【図４】
2008242952.tif 000006
【図５】
2008242952.tif 000007
【図６】
2008242952.tif 000008
【図７】
2008242952.tif 000009
【図８】
2008242952.tif 000010